(57)【特許請求の範囲】
【請求項１】
ダクトが接続するダクト接続パネルと、空調用室内機又はチャンバとの間に設けられるパネルアダプタであって、
開口部を形成する枠本体と、
前記開口部の外周に設けられ、前記ダクト接続パネルに対向するフランジと、
前記開口部よりも下側に位置して前記フランジよりも前記ダクト接続パネル側に張り出した載置片と、前記載置片から上向きに立ち上がる凸片とを有するパネル受け部と、
回動可能に前記開口部の側方又は上方の前記フランジに支持され、挟み片を有するストッパとを備えることを特徴とするパネルアダプタ。
【請求項２】
両端が前記枠本体に固定されている架橋部材を備えることを特徴とする請求項１記載のパネルアダプタ。
【請求項３】
空調用室内機又はチャンバと、
請求項１または請求項２記載のパネルアダプタと、
前記パネルアダプタに対向するフランジを有し、ダクトが接続するダクト接続パネルとを備え、
前記ダクト接続パネルの前記フランジは、前記パネルアダプタの前記フランジと前記挟み片とで挟まれているとともに、前記ダクト接続パネルの前記フランジの下端が、前記パネルアダプタの前記載置片に接触していることを特徴とするダクト接続構造。
【発明の詳細な説明】
【技術分野】
【０００１】
この発明は、ダクトが接続するサプライパネル又はリターンパネル等のダクト接続パネルを組み付ける際に用いるパネルアダプタに関するものである。
【背景技術】
【０００２】
例えば特許文献１には、室内機本体吹き出し側に取り付けられた吹き出しチャンバ（サプライパネル）に、吹き出しダクトを接続するためのフランジが取り付けられた構造が開示されている。つまり、サプライパネルを介して、ダクトが室内機に接続するものとなっている。
【先行技術文献】
【特許文献】
【０００３】
【特許文献１】特開２００６−１６２１８０号公報
【発明の概要】
【発明が解決しようとする課題】
【０００４】
室内機とサプライパネルは、例えばねじ締めによって組み付けられる。しかしながら、サプライパネルは、例えば約１０ｋｇ以上と非常に重いため、作業者にとっては、室内機に設けられたねじ孔とサプライパネルに設けられた孔との位置を合わせるのが難しかった。このため、室内機とサプライパネルとのねじ締めが完全に行われずに、両者の間に隙間が生じることがあった。そして、室内機が送出した冷暖房空気がこの隙間から漏れることで、結露等の不具合が生じる恐れがあった。
特に、室内機が天井裏等の狭い空間に置かれている場合、作業者は狭い所での室内機とサプライパネルとの組み付け作業を強いられ、更に作業が困難となっていた。
また、こうしたことは、サプライパネルに限らず、室内機に空気を供給する側に設けられるリターンパネルでも同様であった。また更に、ダクトを接続するフランジを備えたパネルをチャンバに組み付ける際にも、同様の問題が生じていた。
【０００５】
この発明は、上記のような課題を解決するためになされたもので、室内機に組み付けるサプライパネル又はリターンパネル、チャンバに組み付けるパネル等のダクト接続パネルの組み付けを容易に行うことができるパネルアダプタを得ることを目的とする。
【課題を解決するための手段】
【０００６】
この発明に係るパネルアダプタは、ダクトが接続するダクト接続パネルと、空調用室内機又はチャンバとの間に設けられるものであり、開口部を形成する枠本体と、開口部の外周に設けられ、ダクト接続パネルに対向するフランジと、開口部よりも下側に位置してフランジよりもダクト接続パネル側に張り出した載置片と、載置片から上向きに立ち上がる凸片とを有するパネル受け部と、回動可能に開口部の側方又は上方のフランジに支持され、挟み片を有するストッパとを備えることを特徴とするものである。
【発明の効果】
【０００７】
この発明によれば、パネルアダプタがパネル受け部とストッパとを備えることにより、ダクト接続パネルの組み付けを容易に行うことができる。
【図面の簡単な説明】
【０００８】
【図１】この発明の実施の形態１に係るパネルアダプタを備えた空調システムの概略構成図である。
【図２】この発明の実施の形態１に係るパネルアダプタを示す、サプライ側から見た室内機付近の分解斜視図である。
【図３】この発明の実施の形態１に係るパネルアダプタを示す、リターン側から見た室内機付近の分解斜視図である。
【図４】この発明の実施の形態１に係るパネルアダプタのストッパを拡大して示す斜視図である。
【図５】この発明の実施の形態１に係るパネルアダプタのパネル受け部を拡大して示す斜視図である。
【図６】この発明の実施の形態１に係るパネルアダプタのストッパによる組み付け状態を示す斜視図である。
【図７】この発明の実施の形態１に係るパネルアダプタを備えた空調システムの他の概略構成図である。
【発明を実施するための形態】
【０００９】
実施の形態１．
図１は、この発明の実施の形態１に係るパネルアダプタを備えた空調システムの概略構成図である。ここでは、当該空調システムが、住宅用の全館空調システムであるとして説明する。全館空調は、複数の部屋を対象に空調を行うものである。
【００１０】
図１に示す空調システムでは、室外機１と、室外機１に不図示の冷媒の循環ラインを介して接続する室内機２との協働により、冷暖房空気が生成される。
室外機１は、外気と冷媒を熱交換させるものであり、圧縮機、水冷式の熱交換器（又は空冷式の熱交換器とファン）等を有する。
室内機２は、例えば天井裏に設置され、熱交換器、ファン等を有する。室内機２は、室外機１から冷媒の循環ラインを介して送られた冷媒と、後述の換気装置７及び吸込み口５から取り入れた空気とを熱交換器で熱交換させる。そして、熱交換により得られた冷暖房空気を、ファンにより送り出す。室内機２が送り出した冷暖房空気は、ダクト３を通って吹出し口４から各居室へ吹き出される。
【００１１】
吹出し口４から吹き出された冷暖房空気は、住宅内を移動した後、吸込み口５から回収されて、戻り空気としてダクト６へ入る。吸込み口５から取り入れた戻り空気は、一部が室内機２、残りが換気装置７へと送られる。
換気装置７は、その内部にファン及び熱交換器等を有し、吸込み口５からの戻り空気と、屋外から取り入れた外気とを熱交換させて、熱交換後の戻り空気を屋外へ排気し、熱交換後の外気を室内機２へと送る。
【００１２】
ここで、図２及び図３に、室内機２付近の分解斜視図を示す。図２は、室内機２から冷暖房空気が送出されるサプライ側から見た分解斜視図であり、図３は、室内機２へ外気及び戻り空気が送出されるリターン側から見た分解斜視図である。
室内機２は、略直方体の筐体２０の内部に熱交換器、ファン等を納めたものである。筐体２０には、サプライ側に開口部２０ａが形成され、室内機２の内部で生成された冷暖房空気が、開口部２０ａから室内機２の外部へと出ていく。開口部２０ａの周りは、室内機２の外側へ張り出した壁部２０ｂで囲まれている。壁部２０ｂには、適宜の箇所に雌ねじが切られたねじ孔２０ｃが形成されている。また、壁部２０ｂの外周には、適宜の箇所に雌ねじが切られたねじ孔２０ｄが形成されている。ねじ孔２０ｄは、壁部２０ｂを開口部２０ａの周りにねじ固定するために用いられる。
【００１３】
また、筐体２０には、リターン側に開口部２０ｅが形成され、開口部２０ｅから外気及び戻り空気が室内機２の内部へと入っていく。開口部２０ｅの周りは、室内機２の外側へ張り出した壁部２０ｆで囲まれている。壁部２０ｆには、適宜の箇所に雌ねじが切られたねじ孔２０ｇが形成されている。また、壁部２０ｆの外周には、適宜の箇所に雌ねじが切られたねじ孔２０ｈが形成されている。ねじ孔２０ｈは、壁部２０ｆを開口部２０ｅの周りにねじ固定するとともに、後述のパネルアダプタ１１を室内機２に組み付けるために用いられる。
【００１４】
サプライパネル８は、略直方体の中空の部材であり、室内機２側の面が開口して開口部８０となっている。開口部８０の周りは、つばのように開口部８０の外周に向けて広がって、後述のパネルアダプタ１０にシール部材８４を介して対向する枠状のフランジ８１となっている。また、開口部８０となった面と対向する面には、円形の開口部８２が形成され、開口部８２の周縁からは、ダクト３を接続するための円筒状のフランジ８３がサプライパネル８の外部へ向けて突出している。フランジ８１には、シール部材８４が枠状に接着等で固定されており、このシール部材８４が最も室内機２側に配置される。中空のサプライパネル８は、いわゆるチャンバとしても機能する。
【００１５】
リターンパネル９は、平面視が略長方形の板状部材であり、後述のパネルアダプタ１１に対向する板状のフランジ９０と、ダクト６等を接続するための円筒状のフランジ９１を有する。フランジ９０には、開口部９２が設けられ、フランジ９１は、室内機２とは反対側に向けて開口部９２の周縁から突出している。フランジ９０の周縁には、シール部材９３が枠状に接着等で固定されており、このシール部材９３が最も室内機２側に配置される。
シール部材８４，９３は、ゴム等で構成されてクッション性を有する。
サプライパネル８及びリターンパネル９は、いずれもダクトが接続するダクト接続パネルである。
【００１６】
サプライ側に配置されるパネルアダプタ１０は、サプライパネル８を室内機２に組み付けるために用いられ、その組み付けにより、サプライパネル８と室内機２とに挟まれた状態となる。
パネルアダプタ１０は、開口部１００を有する外形が略長方形の枠状の部材であり、室内機２の開口部２０ａの周縁を覆うようにして室内機２に組み付けられる。その際、開口部２０ａに開口部１００が対向するので、パネルアダプタ１０を室内機２に組み付けても、開口部２０ａが塞がれることはない。
【００１７】
パネルアダプタ１０は、外形が略長方形の枠状の枠本体１０１と、開口部１００を形成する枠本体１０１の両端面で開口部１００の外周に設けられたフランジ１０２，１０３とを有する。フランジ１０２は室内機２に対向し、フランジ１０３はサプライパネル８に対向している。フランジ１０２には、シール部材１０４が枠状に接着等で固定されており、このシール部材１０４が最も室内機２側に配置される。シール部材１０４は、シール部材８４，９３と同様に、ゴム等で構成されてクッション性を有する。枠本体１０１には、パネルアダプタ１０を室内機２に組み付けた際に壁部２０ｂのねじ孔２０ｃの一部と対応する位置に、孔１０５が形成されている。
フランジ１０３には、ストッパ１０６が回動可能に取り付けられている。また、枠本体１０１には、パネル受け部１０７が固定されている。
【００１８】
リターン側に配置されるパネルアダプタ１１は、リターンパネル９を室内機２に組み付けるために用いられ、その組み付けにより、リターンパネル９と室内機２とに挟まれた状態となる。
パネルアダプタ１１は、開口部１１０を有する外形が略長方形の枠状の部材であり、室内機２の開口部２０ｅの周縁を覆うようにして室内機２に組み付けられる。その際、開口部２０ｅに開口部１１０が対向するので、パネルアダプタ１１を室内機２に組み付けても、開口部２０ｅが塞がれることはない。
【００１９】
パネルアダプタ１１は、外形が略長方形の枠状の枠本体１１１と、開口部１１０を形成する枠本体１１１の両端面で開口部１１０の外周に設けられたフランジ１１２，１１３とを有する。フランジ１１２は室内機２に対向し、フランジ１１３はリターンパネル９に対向している。フランジ１１２には、パネルアダプタ１１を室内機２に組み付けた際に壁部２０ｆの外周のねじ孔２０ｈの一部と対応する位置に、孔１１４が形成されている。
パネルアダプタ１１では、開口部１１０を横切るようにして、棒状の架橋部材１１５の両端が枠本体１１１に固定されている。架橋部材１１５は、パネルアダプタ１１を補強して、パネルアダプタ１１の変形を防ぐ。なお、図示のように開口部１１０の短手方向に沿って架橋部材１１５を設ける構成に限らない。架橋部材１１５の一端と他端が、枠本体１１１の異なる辺にそれぞれ固定されていれば構わない。また、架橋部材１１５と同様の構成により、パネルアダプタ１０の補強を図ってもよい。
フランジ１１３には、ストッパ１１６が回動可能に取り付けられている。また、枠本体１１１には、パネル受け部１１７が固定されている。
【００２０】
図４は、ストッパ１０６（１１６）を拡大して示す斜視図である。ストッパ１０６とストッパ１１６は、設けられる箇所が違うものの、同様の働きをするので、図４でまとめて説明する。
ストッパ１０６（１１６）は、支持片１０６ａ（１１６ａ）と当て片１０６ｂ（１１６ｂ）と挟み片１０６ｃ（１１６ｃ）とを有し、開口部１００（１１０）を貫く方向に沿う軸周りで回動可能なように、支持片１０６ａ（１１６ａ）の一端部がフランジ１０３（１１３）に支持されている。当て片１０６ｂ（１１６ｂ）は、支持片１０６ａ（１１６ａ）からサプライパネル８（リターンパネル９）側に張り出し、途中で折り曲げられて支持片１０６ａ（１１６ａ）に対向する挟み片１０６ｃ（１１６ｃ）が形成されている。
なお、当て片１０６ｂ（１１６ｂ）の一部は、挟み片１０６ｃ（１１６ｃ）を形成しないままサプライパネル８（リターンパネル９）側に更に張り出している。また、支持片１０６ａ（１１６ａ）の他端には、挟み片１０６ｃ（１１６ｃ）側に凸の突起１０６ｄ（１１６ｄ）が形成されている。
【００２１】
図５は、パネル受け部１０７（１１７）を拡大して示す斜視図である。パネル受け部１０７とパネル受け部１１７は、設けられる箇所が違うものの、同様の働きをするので、図５でまとめて説明する。
パネル受け部１０７（１１７）は、支持片１０７ａ（１１７ａ）と連結片１０７ｂ（１１７ｂ）と載置片１０７ｃ（１１７ｃ）と凸片１０７ｄ（１１７ｄ）とを有し、支持片１０７ａ（１１７ａ）で枠本体１０１（１１１）に固定支持されている。支持片１０７ａ（１１７ａ）からは、フランジ１０３（１１３）に沿って連結片１０７ｂ（１１７ｂ）が伸び、連結片１０７ｂ（１１７ｂ）からは、載置片１０７ｃ（１１７ｃ）が、フランジ１０３（１１３）よりもサプライパネル８（リターンパネル９）側に張り出して形成されている。載置片１０７ｃ（１１７ｃ）からは、連結片１０７ｂ（１１７ｂ）に対向するように、凸片１０７ｄ（１１７ｄ）が立ち上がっている。これら連結片１０７ｂ（１１７ｂ）と載置片１０７ｃ（１１７ｃ）と凸片１０７ｄ（１１７ｄ）とで、断面略コの字形状を成している。
載置片１０７ｃ（１１７ｃ）は、開口部１００（１１０）よりも鉛直方向下側に位置し、凸片１０７ｄ（１１７ｄ）は、鉛直方向上向きに立ち上がる。
【００２２】
次に、上記のように構成されたパネルアダプタ１０，１１を用いて、室内機２にサプライパネル８及びリターンパネル９を組み付ける際の手順について説明する。
室内機２にサプライパネル８を組み付ける際は、まず、パネルアダプタ１０を、室内機２にねじ締めする。具体的には、室内機２の壁部２０ｂがパネルアダプタ１０の開口部１００に挿入されるように、枠本体１０１を壁部２０ｂの外周に嵌め込む。そして、ねじ孔２０ｃと孔１０５とを用いて、パネルアダプタ１０を室内機２にねじ締めする。
【００２３】
続いて、室内機２に固定されたパネルアダプタ１０のパネル受け部１０７に、サプライパネル８のフランジ８１を差し込む。これにより、フランジ８１の下端が、載置片１０７ｃに接触して置かれた状態とする。
続いて、サプライパネル８をパネルアダプタ１０に押し付けながら、つまり、フランジ８１をフランジ１０３に押し付けながら、ストッパ１０６を図４中のＡ方向へ回動させる。そして、フランジ１０３とストッパ１０６の挟み片１０６ｃとで、フランジ８１を挟んだ状態として、組付けを完了する。ストッパ１０６によりフランジ８１が挟まれた状態を、図６に示す。
【００２４】
なお、シール部材８４は、冷暖房空気が漏れるのを防ぐとともに、そのクッション性により、ストッパ１０６の回動時は圧縮されてストッパ１０６の回動作業を容易にし、ストッパ１０６の回動完了後は、フランジ８１を挟み片１０６ｃに押し付けて、フランジ８１が良好に挟まれた状態とする。ストッパ１０６の突起１０６ｄも、フランジ８１が良好に挟まれるように働いており、フランジ１０３を挟み片１０６ｃ側に押し付けている。
【００２５】
室内機２にリターンパネル９を組み付ける際の手順についても同様である。
まずパネルアダプタ１１を室内機２にねじ締めする。具体的には、室内機２の壁部２０ｆがパネルアダプタ１１の開口部１１０に挿入されるように、枠本体１１１を壁部２０ｆの外周に嵌め込む。そして、ねじ孔２０ｈと孔１１４とを用いて、パネルアダプタ１１を室内機２にねじ締めする。
【００２６】
続いて、室内機２に固定されたパネルアダプタ１１のパネル受け部１１７に、リターンパネル９のフランジ９０を差し込む。これにより、フランジ９０の下端が、載置片１１７ｃに接触して置かれた状態とする。
続いて、リターンパネル９をパネルアダプタ１１に押し付けながら、つまり、フランジ９０をフランジ１１３に押し付けながら、ストッパ１１６を図４中のＡ方向へ回動させる。そして、フランジ１１３とストッパ１１６の挟み片１１６ｃとで、フランジ９０を挟んだ状態として、組付けを完了する。ストッパ１１６によりフランジ９０が挟まれた状態を、図６に示す。
なお、シール部材９３及び突起１１６ｄは、上記したシール部材８４及び突起１０６ｄと同様の働きを有する。
【００２７】
このように、重量のあるサプライパネル８をパネル受け部１０７に置いて、ストッパ１０６で挟むことで、サプライパネル８を室内機２に組み付けることができる。リターンパネル９についても同様である。
室内機２とパネルアダプタ１０とサプライパネル８、また、室内機２とパネルアダプタ１１とリターンパネル９は、互いに組付けられた状態において、ダクト３、ダクト６等のダクトを接続するためのダクト接続構造として機能する。
【００２８】
パネルアダプタ１０は、例えばサプライパネル８の半分以下の重量とすることができるので、パネルアダプタ１０を室内機２にねじ締めすることは、さほど困難ではない。また、パネルアダプタ１０は、開口部１００を有しており、パネルアダプタ１０が室内機２に組み付けられた状態であっても、開口部１００を介して室内機２の内部に作業者はアクセスすることができる。つまり、パネルアダプタ１０は、空調システムの施工時に一度室内機２に組み付けてしまえば、メンテナンスのたびにわざわざ取り外す必要は無い。メンテナンス時に取り外すのは、サプライパネル８だけで済み、そのサプライパネル８についても、ストッパ１０６を外し、パネル受け部１０７に差し込まれたフランジ８１を外すだけで取り外すことができる。そして、メンテナンスで取り外したサプライパネル８を、再度室内機２に組み付ける場合も、上記したようにパネル受け部１０７とストッパ１０６により容易に組み付けることができる。リターンパネル９についても同様である。
【００２９】
特に、室内機２が図１のように天井裏等の狭い空間に置かれている場合、このように容易にサプライパネル８及びリターンパネル９の組付け及び取り外しができると、作業者にとっての利便性が高い。
また、室内機２とサプライパネル８との間にパネルアダプタ１０を、室内機２とリターンパネル９との間にパネルアダプタ１１を介在させる構成であるので、室内機２、サプライパネル８、リターンパネル９が既存のものである場合、それら既存の室内機２、サプライパネル８、リターンパネル９に合わせてパネルアダプタ１０，１１を作製すればよく、既存の室内機２、サプライパネル８、リターンパネル９はそのまま使うことができる。
【００３０】
なお、上記では、パネルアダプタ１０，１１を用いてサプライパネル８及びリターンパネル９を組み付ける相手側の部材が、住宅用の全館空調システムを構成する室内機２である場合を例に説明をした。しかしながらこれに限らず、ダクトを使って空調を行うシステムの室内機であれば、相手側の部材とすることができる。
【００３１】
また、上記のようなパネルアダプタ１０，１１は、ダクトを接続するフランジを備えたパネルをチャンバに組み付ける際にも適用することができる。図１とは異なり、例えば図７に示すように、室内機２から送出される冷暖房空気を分岐するためのチャンバ１２が、ダクト１３を介して室内機２に接続している場合を例に説明する。
ダクト３を接続するフランジを備えたパネル１４は、フランジ８１，９０と同様のフランジを有している。そして、パネル１４は、図７における左側面が開口したチャンバ１２に組み付けられることになる。その際、サプライパネル８及びリターンパネル９を室内機２に組み付けるのと同様の手順で、パネルアダプタ１０，１１を用いてパネル１４をチャンバ１２に組み付ければ、パネル１４の組付けを容易に行うことができる。そして、カビの有無等を検査するためにパネル１４を取り外す必要が生じても、サプライパネル８及びリターンパネル９のときと同様に、容易に取り外すことができる。
【００３２】
チャンバ１２と、パネルアダプタ１０又はパネルアダプタ１１と、パネル１４とは、互いに組付けられた状態において、ダクト３を接続するためのダクト接続構造として機能する。
【００３３】
また、ストッパ１０６，１１６は、フランジ１０３，１１３のうち、開口部１００，１１０の上方に位置する部分に設けたが、開口部１００，１１０の側方に位置する部分に設けてもよい。
【００３４】
また、ストッパ１０６，１１６及びフランジ１０３，１１３の個数は図示したものに限らず任意であり、サプライパネル８、リターンパネル９、パネル１４の寸法等に応じて適宜の個数としてよい。
また、パネル受け部１０７，１１７を、枠本体１０１，１１１及びフランジ１０３，１１３と別体として作製するのではなく、フランジ１０３，１１３を折り曲げるなどして載置片１０７ｃ，１１７ｃ及び凸片１０７ｄ，１１７ｄをフランジ１０３，１１３と一体的に作製してもよい。
【００３５】
以上のようにこの実施の形態１によれば、ストッパ１０６及びパネル受け部１０７を有するパネルアダプタ１０、また、ストッパ１１６及びパネル受け部１１７を有するパネルアダプタ１１を用いて、室内機２にサプライパネル８及びリターンパネル９を組み付けることとなるので、室内機２とサプライパネル８及びリターンパネル９との組み付けを容易に行うことができる。また、チャンバ１２にパネル１４を組み付ける場合についても、同様に容易に行うことができる。
【００３６】
また、両端が枠本体１１１に固定されている架橋部材１１５を備えることとした。このようにすれば、パネルアダプタ１０，１１を補強して、変形を防止することができる。
【００３７】
なお、本願発明はその発明の範囲内において、実施の形態の任意の構成要素の変形、もしくは実施の形態の任意の構成要素の省略が可能である。
【符号の説明】
【００３８】
１  室外機
２  室内機
３  ダクト
４  吹出し口
５  吸込み口
６  ダクト
７  換気装置
８  サプライパネル
９  リターンパネル
１０  パネルアダプタ
１１  パネルアダプタ
１２  チャンバ
１３  ダクト
１４  パネル
２０  筐体
２０ａ  開口部
２０ｂ  壁部
２０ｃ  ねじ孔
２０ｄ  ねじ孔
２０ｅ  開口部
２０ｆ  壁部
２０ｇ  ねじ孔
２０ｈ  ねじ孔
８０  開口部
８１  フランジ
８２  開口部
８３  フランジ
８４  シール部材
９０  フランジ
９１  フランジ
９２  開口部
９３  シール部材
１００  開口部
１０１  枠本体
１０２  フランジ
１０３  フランジ
１０４  シール部材
１０５  孔
１０６  ストッパ
１０６ａ  支持片
１０６ｂ  当て片
１０６ｃ  挟み片
１０６ｄ  突起
１０７  パネル受け部
１０７ａ  支持片
１０７ｂ  連結片
１０７ｃ  載置片
１０７ｄ  凸片
１１０  開口部
１１１  枠本体
１１２  フランジ
１１３  フランジ
１１４  孔
１１５  架橋部材
１１６  ストッパ
１１６ａ  支持片
１１６ｂ  当て片
１１６ｃ  挟み片
１１６ｄ  突起
１１７  パネル受け部
１１７ａ  支持片
１１７ｂ  連結片
１１７ｃ  載置片
１１７ｄ  凸片
【図１】
0006717533.tif 000002
【図２】
0006717533.tif 000003
【図３】
0006717533.tif 000004
【図４】
0006717533.tif 000005
【図５】
0006717533.tif 000006
【図６】
0006717533.tif 000007
【図７】
0006717533.tif 000008